(57)【要約】【課題】折径が僅かに異なる筒状フィルムに変更された場合には、マンドレルを交換しなくても、筒状フィルムの周方向への位置ズレを確実に防止することができるフィルム嵌挿装置を提供する。【解決手段】ラベル嵌挿ヘッド１０は、ラベルオープナー３０によって筒状に開口された後、開口整形手段４０のマンドレル４２によって所定の開口形状に整形された筒状のラベルＬを、ラベル嵌挿手段５０のキャリアプレート５２によって、マンドレル４２から押し下げることで、マンドレル４２の真下に位置しているボトルＢの胴部にラベルＬを嵌挿させるようになっている。マンドレル４２は、閉じた状態でラベルＬに挿入した後、開くことによって、ラベルＬを所定の開口形状に整形する４本の開閉杆４４を有しており、開閉杆４４によって所定の開口形状に整形されたラベルＬをボトルＢに嵌挿する際、ラベルＬの内周面が２本の開閉杆４４に吸着するようになっている。【選択図】        図２
2005343509.tif 000002
【特許請求の範囲】
【請求項１】
筒状フィルムを被嵌挿体に嵌挿するフィルム嵌挿装置であって、
前記筒状フィルムを被嵌挿体に嵌挿する際、閉じた状態で前記筒状フィルムに挿入した後、開くことによって、前記筒状フィルムを所定の開口形状に整形する複数の開閉杆を有するマンドレルを備え、
前記開閉杆によって所定の開口形状に整形された前記筒状フィルムを被嵌挿体に嵌挿する際、前記筒状フィルムの内周面が前記開閉杆に吸着されるようになっていることを特徴とするフィルム嵌挿装置。
【請求項２】
筒状フィルムを被嵌挿体に嵌挿するフィルム嵌挿装置であって、
前記筒状フィルムを被嵌挿体に嵌挿する際、閉じた状態で前記筒状フィルムに挿入した後、開くことによって、前記筒状フィルムを所定の開口形状に整形する複数の開閉杆を有するマンドレルを備え、
前記マンドレルは、前記開閉杆によって、前記筒状フィルムを所定の開口形状に整形したときに、前記筒状フィルムに形成された、嵌挿方向に延びる折目部分に係合するガイド部材を有していることを特徴とするフィルム嵌挿装置。
【発明の詳細な説明】
【技術分野】
【０００１】
この発明は、ボトル容器等の被嵌挿体にラベル等の筒状フィルムを嵌挿するフィルム嵌挿装置に関する。
【背景技術】
【０００２】
例えば、シュリンクフィルムによって形成された筒状のラベルをＰＥＴボトルの胴部に嵌挿するラベル嵌挿装置としては、シート状に折り畳まれた状態のラベル及びＰＥＴボトルを受け取って、そのラベルを開口しながらＰＥＴボトルに嵌挿する複数のラベル嵌挿ヘッドを有するロータリ型のラベル嵌挿ユニットを搭載したものがあり、各ラベル嵌挿ヘッドは、図７（ａ）〜（ｃ）に示すように、シート状に折り畳まれた状態のラベルＬを筒状に開口するラベルオープナ６１と、このラベルオープナ６１によって筒状に開口されたラベルＬをＰＥＴボトルＢの胴部に嵌挿可能な所定の開口形状に整形する、４本の開閉杆６２ａを有するマンドレル６２と、このマンドレル６２によって所定の開口形状に整形されたラベルＬを、マンドレル６２から押し下げることによって、マンドレル６２の直下に位置しているＰＥＴボトルＢにラベルＬを嵌挿するラベルポジショナ６３とを備えている。
【０００３】
【特許文献１】特開平１１−２２７７３０号公報
【発明の開示】
【発明が解決しようとする課題】
【０００４】
ところで、上述したようなラベル嵌挿装置において、ラベルＬを嵌挿しようとするＰＥＴボトルＢが、これまでとは形状やサイズが大きく異なるＰＥＴボトルＢに変更された場合は、変更されたＰＥＴボトルＢの形状やサイズに応じて、それに嵌挿しようとするラベルＬの折径も大きく変化するので、ラベルＬを所定の開口形状に整形するマンドレル６２についても、変更されたラベルＬの折径に応じたマンドレル６２に交換する必要があるが、これまでとは形状やサイズが僅かに異なるＰＥＴボトルＢに変更された場合は、それに嵌挿しようとするラベルＬの折径が大きく変化することはないので、型替え作業を最小限に抑えるために、ラベルＬの折径が所定範囲内にある場合には、マンドレル６２を兼用することが望まれている。
【０００５】
しかしながら、ラベルＬの折径が僅かに変化した場合は、マンドレル６２を交換しなくても、そのラベルＬを概ね所定の開口形状に整形することは可能であるが、そのラベルＬをマンドレル６２に確実に保持することができず、マンドレル６２によって所定の開口形状に整形されたラベルＬがマンドレル６２から落下してしまう場合があり、角ボトルや楕円ボトルのように、装着しようとするラベルＬをＰＥＴボトルＢに対して、その周方向に位置決めしなければならないような場合には、落下する際にラベルＬが位置ズレしてしまうといった問題がある。従って、そのような場合は、ラベルＬの折径が僅かに変化した場合であっても、その都度マンドレル６２を交換しなければならず、マンドレル６２を兼用することができないのが現状である。
【０００６】
そこで、この発明の課題は、折径が僅かに異なる筒状フィルムに変更された場合には、マンドレルを交換しなくても、所定の開口形状に整形された筒状フィルムの周方向への位置ズレを確実に防止することができるフィルム嵌挿装置を提供することにある。
【課題を解決するための手段】
【０００７】
上記の課題を解決するため、請求項１にかかる発明は、筒状フィルムを被嵌挿体に嵌挿するフィルム嵌挿装置であって、前記筒状フィルムを被嵌挿体に嵌挿する際、閉じた状態で前記筒状フィルムに挿入した後、開くことによって、前記筒状フィルムを所定の開口形状に整形する複数の開閉杆を有するマンドレルを備え、前記開閉杆によって所定の開口形状に整形された前記筒状フィルムを被嵌挿体に嵌挿する際、前記筒状フィルムの内周面が前記開閉杆に吸着されるようになっていることを特徴とするフィルム嵌挿装置を提供するものである。
【０００８】
また、上記の課題を解決するため、請求項２にかかる発明は、筒状フィルムを被嵌挿体に嵌挿するフィルム嵌挿装置であって、前記筒状フィルムを被嵌挿体に嵌挿する際、閉じた状態で前記筒状フィルムに挿入した後、開くことによって、前記筒状フィルムを所定の開口形状に整形する複数の開閉杆を有するマンドレルを備え、前記マンドレルは、前記開閉杆によって、前記筒状フィルムを所定の開口形状に整形したときに、前記筒状フィルムに形成された、嵌挿方向に延びる折目部分に係合するガイド部材を有していることを特徴とするフィルム嵌挿装置を提供するものである。
【発明の効果】
【０００９】
以上のように、請求項１にかかる発明のフィルム嵌挿装置は、マンドレルを構成している開閉杆によって所定の開口形状に整形された筒状フィルムを被嵌挿体に嵌挿する際、その筒状フィルムの内周面が開閉杆に吸着されるようになっているので、筒状フィルムの折径が多少変化した場合であっても、所定の開口形状に整形された筒状フィルムがマンドレルから落下することがない。従って、このフィルム嵌挿装置では、筒状フィルムの折径が大きく変化しない限り、マンドレルを交換しなくても、筒状フィルムが被嵌挿体の周方向に位置ズレすることがなく、筒状フィルムを被嵌挿体の所定位置に確実に嵌挿することができるので、型替え作業を最小限に抑えることができる。
【００１０】
また、請求項２にかかる発明のフィルム嵌挿装置は、マンドレルを構成している開閉杆によって、筒状フィルムを所定の開口形状に整形したときに、ガイド部材が、筒状フィルムに形成された、嵌挿方向に延びる折目部分に係合しているので、筒状フィルムの折径が多少変化することに伴い、所定の開口形状に整形された筒状フィルムがマンドレルから滑り落ちて被嵌挿体に嵌挿された場合であっても、筒状フィルムが、被嵌挿体の周方向に位置ズレすることがない。従って、このフィルム嵌挿装置では、筒状フィルムの折径が大きく変化しない限り、マンドレルを交換しなくても、筒状フィルムを被嵌挿体の所定位置に確実に嵌挿することができるので、型替え作業を最小限に抑えることができる。
【発明を実施するための最良の形態】
【００１１】
以下、実施の形態について図面を参照して説明する。図１は、胴部形状が角形のＰＥＴボトル（以下、ボトルという。）Ｂの胴部にシュリンクフィルムによって形成された筒状のラベルＬを嵌挿するためのラベル嵌挿装置１を示しており、このラベル嵌挿装置１は、ベルトコンベア２ａ、スクリュー２ｂ及びスターホイール２ｃからなるボトル供給ユニット２と、基材繰出部３ａによって基材ロールから繰り出された長尺のラベル形成基材Ｍを順次切断しながらラベルＬを形成し、そのラベルＬを第１受渡位置αに順次供給するラベル供給ユニット３と、このラベル供給ユニット３によって第１受渡位置αに供給されたラベルＬを受け取って第２受渡位置βに搬送するラベル受渡ユニット４と、ボトル供給位置γにおいて前記ボトル供給ユニット２から供給されたボトルＢを受け取り、ボトル送出位置δまで搬送すると共に、前記ラベル受渡ユニット４によって搬送されてきたラベルＬを第２受渡位置βにおいて受け取り、ボトルＢをボトル供給位置γからボトル送出位置δまで搬送する間にラベルＬをボトルＢに嵌挿するロータリ型のラベル嵌挿ユニット５と、ボトルＢに嵌挿されたラベルＬを熱収縮させるための加熱ユニット（図示せず）にラベルＬが嵌挿されたボトルＢを搬送する、スターホイール６ａ及びベルトコンベア６ｂからなるボトル搬送ユニット６とから構成されている。
【００１２】
なお、前記ラベル形成基材Ｍは、ボトルＢに装着する筒状のラベルＬが連続的に繋がったものであり、前記基材繰出部３ａにおいてはシート状に折り畳んだ状態でドラムに巻回されている。また、基材繰出部３ａから繰り出されたシート状のラベル形成基材Ｍは、ボトルＢにラベルＬを装着する際に再び筒状に開きやすくするために、その供給途中において折り返すことで折り畳み位置を変化させるようにしている（図１参照）。
【００１３】
前記ラベル受渡ユニット４は、図１及び図２に示すように、第１受渡位置αと第２受渡位置βとを通るように一定の回転速度で回転する複数本のテイクアップ部材４ａを備えており、シート状に折り畳まれた状態で第１受渡位置αに供給されるラベルＬを、テイクアップ部材４ａが吸引保持することによって受け取って、第２受渡位置βまで搬送するようになっている。
【００１４】
前記ラベル嵌挿ユニット５は、図１及び図２に示すように、回転軸（図示せず）から放射状に張り出した複数の支持アーム１１、１２、１３を介して、回転軸を中心とした同心円上に一定間隔で取り付けられた多数のラベル嵌挿ヘッド１０を備えており、各ラベル嵌挿ヘッド１０によって、第２のラベル受渡位置βにおいて受け取ったシート状に折り畳まれた筒状のラベルＬが開口され、この開口されたラベルＬが、ボトル供給位置γにおいて受け取ったボトルＢがボトル送出位置δまで搬送される途中で、ボトルＢの胴部に嵌挿されるようになっている。
【００１５】
前記ラベル嵌挿ヘッド１０は、ボトル供給位置γにおいて受け取ったボトルＢをボトル保持台２１に載置した状態に保持するボトル保持手段２０と、第２のラベル受渡位置βにおいて受け取ったシート状に折り畳まれたラベルＬを、筒状に開口するラベルオープナー３０と、このラベルオープナー３０によって開口された筒状のラベルＬを、ボトルＢの胴部に嵌挿し易い所定の開口形状に整形する開口整形手段４０と、この開口整形手段４０によって所定の開口形状に整形されたラベルＬをボトル保持台２１に載置されたボトルＢに嵌挿するラベル嵌挿手段５０とから構成されており、第２のラベル受渡位置βにおいて受け取ったシート状に折り畳まれた状態のラベルＬがラベルオープナー３０によって筒状に開口された後、開口整形手段４０によって所定の開口形状に整形され、ボトル供給位置γにおいて受け取ったボトルＢがボトル保持台２１に保持された状態でボトル送出位置δまで搬送される途中で、所定の開口形状に整形されたラベルＬが、ラベル嵌挿手段５０によって、ボトルＢの胴部に嵌挿されるようになっている。
【００１６】
前記ラベルオープナー３０は、図２に示すように、先端に把持部が取り付けられた開閉可能な一対の揺動アーム３１と、把持面に形成された吸引口から吸引することで、シート状に折り畳まれた状態のラベルＬの両面をそれぞれ把持部に吸引保持させる図示しない吸引手段と、一対の揺動アーム３１を開閉させる開閉駆動手段３２とから構成されており、ラベル受渡ユニット４のテイクアップ部材４ａに片面が吸引保持された状態で搬送されてきたシート状に折り畳まれたラベルＬを、第２のラベル受渡位置βにおいて、一対の揺動アーム３１の把持部が把持することによって受け取った後、ラベルＬの両面を把持部にそれぞれ吸引保持した状態で、その揺動アーム３１を開いてラベルＬの両面を相互に離間させることにより、ラベルＬを筒状に開口するようになっている。
【００１７】
前記開口整形手段４０は、図２に示すように、支持アーム１３に昇降可能に支持された円筒状の支持部材４１と、この支持部材４１の下端部に取り付けられたマンドレル４２と、支持部材４１を昇降させるためのカム機構４６とから構成されており、支持部材４１が降下することにより、ラベルオープナー３０によって開口されたラベルＬにマンドレル４２が挿入されるようになっている。
【００１８】
前記マンドレル４２は、図３（ａ）、（ｂ）及び図４（ａ）、（ｂ）に示すように、支持部材４１の下端部に固定された基台部４３と、この基台部４３に、先端側（下端側）が開閉するように、基端部（上端部）が支持された４本の開閉杆４４（４４Ａ、４４Ａ、４４Ｂ、４４Ｂ）と、この開閉杆４４の先端側を閉方向に付勢する図示しないばねと、このばねによって閉方向に付勢された開閉杆４４を開閉させるカム機構４５とから構成されており、ラベルオープナー３０によって開口されたラベルＬに、閉じた状態の開閉杆４４が挿入された後、開閉杆４４が開くことによって、ラベルＬがボトルＢの胴部に嵌挿し易い所定の開口形状に整形されるようになっている。
【００１９】
また、マンドレル４２を構成している４本の開閉杆４４（４４Ａ、４４Ａ、４４Ｂ、４４Ｂ）のうち、ロータリ型のラベル嵌挿ユニット５の外側に位置している隣り合う２本の開閉杆４４（４４Ａ、４４Ａ）については、同図に示すように、その内部に、吸引手段（図示せず）に接続される吸引路４４ａが形成されていると共に、ラベルＬの内周面に接触する外面側には、吸引路４４ａに連通する複数の吸引孔４４ｂが形成されており、４本の開閉杆４４によってラベルＬを所定の開口形状に整形した時点から、ラベル嵌挿手段５０によって、ラベルＬをボトルＢの胴部に嵌挿するまでの間は、２本の開閉杆４４（４４Ａ、４４Ａ）の吸引孔４４ｂから吸引することで、所定の開口形状に整形されたラベルＬの内周面が２本の開閉杆４４（４４Ａ、４４Ａ）に吸着されるようになっている。
【００２０】
開閉杆４４を開閉させるカム機構４５は、図２、図３及び図４に示すように、開閉杆４４の基端部に取り付けられたカムフォロア４５ａと、円筒状の支持部材４１に挿通された状態で基台部４３の中心部を昇降可能に貫通し、下端部の外周面にカムフォロア４５ａが当接する外径の異なるカム面が形成された操作軸４５ｂと、支持部材４１の上端に取り付けられた、操作軸４５ｂを昇降させる駆動シリンダ４５ｃとを備えており、操作軸４５ｂが降下すると、カム面を形成している操作軸４５ｂの大径部がカムフォロア４５ａを外側に押圧することで、開閉杆４４が開き、操作軸４５ｂが上昇すると、開閉杆４４を常時閉方向に付勢しているばねの付勢力によって、カム面を形成している操作軸４５ｂの小径部にカムフォロア４５ａが押し付けられ、開閉杆４４が閉じるようになっている。
【００２１】
支持部材４１を昇降させるカム機構４６は、図２に示すように、ラベル嵌挿ヘッド１０の上部を取り囲む円筒体４７に形成されたカム溝４７ａと、このカム溝４７ａに嵌り込む、支持部材４１の上端部に支持されたローラ４８とから構成されており、ラベル嵌挿ヘッド１０が回転軸を中心に回転することによって、ローラ４８がカム溝４７ａに沿って昇降しながら移動し、これに伴って、ローラ４８が支持されている支持部材４１が昇降するようになっている。
【００２２】
前記ラベル嵌挿手段５０は、図２に示すように、支持アーム１３に昇降可能に支持された支持棒５１と、この支持棒５１の下端部に着脱自在に取り付けられたキャリアプレート５２と、支持棒５１を昇降させるためのカム機構５３とから構成されており、キャリアプレート５２には、４本の開閉杆４４全体を挿通するための穴が形成されている。
【００２３】
前記カム機構５３は、ラベル嵌挿ヘッド１０を取り囲む前記円筒体４７に形成された第２のカム溝４７ｂと、このカム溝４７ｂに嵌り込む、支持棒５１の中間部に支持されたローラ５４とから構成されており、ラベル嵌挿ヘッド１０が回転軸を中心に回転することによって、ローラ５４が第２のカム溝４７ｂに沿って昇降しながら移動し、これに伴って、ローラ５４が支持されている支持棒５１が昇降するようになっている。
【００２４】
従って、開口整形手段４０の開閉杆４４によって、ラベルＬがボトルＢの胴部に嵌挿し易い所定の開口形状に整形された後、キャリアプレート５２が開閉杆４４に沿って降下すると、キャリアプレート５２によってラベルＬが下方側に押し下げられ、その直下に位置しているボトルＢの胴部にラベルＬが嵌挿される。このとき、ラベルＬは、外側の２本の開閉杆４４の外面に吸着された状態で、４本の開閉杆４４の外面上を摺動しながら、下方側に押し下げられることになる。
【００２５】
なお、ローラ４８及びローラ５４は、図２に示すように、取付部材４９及び取付部材５５を介して、支持部材４１及び支持棒５１にそれぞれ支持されているが、取付部材４９は支持棒５１に、取付部材５５は支持部材４１にそれぞれ摺動自在に支持されており、長尺の支持部材４１及び支持棒５１が相互に支持し合うことにより双方の支持安定性を高めている。
【００２６】
以上のように、このラベル嵌挿ユニット５では、マンドレル４２を構成している開閉杆４４によって所定の開口形状に整形されたラベルＬを、ラベル嵌挿手段５０のキャリアプレート５２によってボトルＢに嵌挿する際、そのラベルＬの内周面が２本の開閉杆４４（４４Ａ、４４Ａ）に吸着した状態で、マンドレル４２から押し下げられるようになっているので、ラベルＬの折径が多少変化した場合であっても、所定の開口形状に整形されたラベルＬが、マンドレル４２から落下することがない。
【００２７】
従って、このラベル嵌挿ユニット５では、ラベルを装着しようとするボトルが、これまでとは形状やサイズが異なるものに変更され、それに伴って、ラベルの折径が変化した場合であっても、ラベルの折径が大きく変化しないのであれば、マンドレル４２を交換しなくても、ラベルがボトルの周方向に位置ズレすることがなく、角ボトルや楕円ボトル等のように、装着しようとするラベルの位置合わせが要求される場合であっても、そういったボトルの所定位置にラベルを確実に嵌挿することができるので、型替え作業を最小限に抑えることができる。
【００２８】
なお、上述した実施形態では、ラベルＬをボトルＢに嵌挿する際におけるラベルＬの周方向の位置ズレを防止するために、４本の開閉杆４４によって所定の開口形状に整形されたラベルＬの内周面を、２本の開閉杆４４（４４Ａ、４４Ａ）に吸着させるようにしているが、これに限定されるものではなく、１本または３本以上の開閉杆４４にラベルＬを吸着させるようにしてもよい。
【００２９】
また、上述した実施形態では、開閉杆４４によって所定の開口形状に整形されたラベルＬの内周面を開閉杆４４に吸着させることによって、ラベルＬをボトルＢに嵌挿する際におけるラベルＬの周方向の位置ズレを防止するようにしているが、これに加えて、例えば、開閉杆４４や開閉杆４４を開閉させるカム機構４５を構成している操作軸４５ｂ等の先端から、ボトルＢに空気を吹き付けるようにしておくと、吹き付けられた空気がボトルＢの胴部外周面に沿って下方側に送出され、ラベルＬをボトルＢに嵌挿する際のラベルＬのボトルＢに対する摩擦抵抗が小さくなるので、薄肉で腰のないラベルであっても、ボトルに円滑かつ確実に嵌挿することができる。
【００３０】
また、上述した実施形態では、開閉杆４４によって所定の開口形状に整形されたラベルＬの内周面を、開閉杆４４に吸着させることによって、ラベルＬをボトルＢに嵌挿する際におけるラベルＬの周方向の位置ズレを防止するようにしているが、これに限定されるものではなく、図５（ａ）、（ｂ）及び図６（ａ）、（ｂ）に示すように、４本の開閉杆４４によってラベルＬを所定の開口形状に整形したときに、そのラベルＬの折目部分に係合する、先端（下端）が径方向内側に屈曲した２本のガイド棒ＧＰをマンドレル４２に取り付けておくと、ラベルの折径が多少変化する（若干大きくなる）ことに伴い、所定の開口形状に整形されたラベルがマンドレル４２から滑り落ちてボトルＢに嵌挿された場合であっても、ラベルの周方向への位置ズレを防止することができる。従って、このようなマンドレルを採用した場合も、ラベルの折径が大きく変化しないのであれば、マンドレルを交換しなくても、ラベルをボトルの所定位置に確実に嵌挿することができるので、型替え作業を最小限に抑えることができる。図５及び図６では、２本のガイド棒ＧＰを取り付けたマンドレル４２を示しているが、ガイド棒ＧＰの本数は２本に限定されるものではなく、マンドレル４２に取り付けた１本のガイド棒を、ラベルＬにおける一方の折目部分だけに係合させるようにしてもよい。
【００３１】
また、上述した実施形態では、多数のラベル嵌挿ヘッド１０を有するロータリ型のラベル嵌挿ユニット５を備えたラベル嵌挿装置１について説明したが、これに限定されるものではなく、本発明は、複数本の開閉杆を備えたマンドレルによって筒状のラベルを所定の開口形状に整形するようになっている種々のラベル嵌挿装置に適用することができる。
【００３２】
また、上述した実施形態では、胴部形状が角形のボトルＢの胴部に筒状のラベルＬを嵌挿するためのラベル嵌挿装置１について説明したが、ボトルＢは角ボトルに限定されるものではなく、本発明は、丸ボトル、楕円ボトル、異形ボトル等に筒状のラベルを嵌挿するラベル嵌挿装置についても適用することができる。特に、丸ボトルの場合は、装着しようとするラベルの周方向の位置ズレを考慮する必要はないが、ボトルの肩部分に落下したラベルをキャリアプレートによって押し下げる場合は、ラベルが潰れ易くなるので、本発明を適用することによって、所定の開口形状に整形されたラベルのマンドレルからの落下を防止しておくと、ラベルをボトルに円滑に嵌挿することができるという効果が得られる。
【００３３】
また、上述した実施形態では、筒状のラベルＬをボトルＢの胴部に嵌挿するためのラベル嵌挿装置１について説明したが、これに限定されるものではなく、本発明は、筒状のフィルムを種々の被嵌挿体に嵌挿する場合に適用することができることはいうまでもない。
【図面の簡単な説明】
【００３４】
【図１】この発明にかかるフィルム嵌挿装置の一実施形態であるラベル嵌挿装置を示す概略構成図である。
【図２】同上のラベル嵌挿装置におけるラベル嵌挿ユニットを示す概略図である。
【図３】（ａ）は同上のラベル嵌挿ユニットに搭載されているラベル嵌挿ヘッドにおけるマンドレルの開閉杆が閉じた状態を示す詳細図、（ｂ）は同上のマンドレルの開閉杆とラベルとの関係を示す図である。
【図４】（ａ）は同上のラベル嵌挿ユニットに搭載されているラベル嵌挿ヘッドにおけるマンドレル部分の開閉杆が開いた状態を示す詳細図、（ｂ）は同上のマンドレルの開閉杆とラベルとの関係を示す図である。
【図５】（ａ）、（ｂ）はマンドレルの変形例を示す詳細図である。
【図６】（ａ）、（ｂ）は同上のマンドレルの開閉杆とラベルとの関係を示す図である。
【図７】（ａ）〜（ｃ）は従来のラベル嵌挿装置に搭載されているラベル嵌挿ヘッド及びその動作を示す概略図である。
【符号の説明】
【００３５】
１  ラベル嵌挿装置（フィルム嵌挿装置）
５  ラベル嵌挿ユニット
１０  ラベル嵌挿ヘッド
２０  ボトル保持手段
３０  ラベルオープナー
４０  開口整形手段
４１  支持部材
４２  マンドレル
４３  基台部
４４、４４Ａ、４４Ｂ  開閉杆
４４ａ  吸引路
４４ｂ  吸引孔
４５、４６  カム機構
５０  ラベル嵌挿手段
５１  支持棒
５２  キャリアプレート
【図１】
2005343509.tif 000003
【図２】
2005343509.tif 000004
【図３】
2005343509.tif 000005
【図４】
2005343509.tif 000006
【図５】
2005343509.tif 000007
【図６】
2005343509.tif 000008
【図７】
2005343509.tif 000009